(57)【要約】【課題】  発光ユニットと表示パネルとを正確に対面させることができる表示装置を備えた空気調和機を提供する。【解決手段】  空気調和機の室内ユニット２の外郭の一部を構成する前面パネル２ｂに運転表示部４０を設ける。運転表示部は、発光ユニット４３と、図形や文字を表面に印刷して運転状態を表示する表示パネル４４とを備える。表示パネル４４および発光ユニット４３が共に前面パネル２ｂに取り付けられる。これにより、表示パネル４４と発光ユニット４３との位置ズレを回避することができ、また、光漏れなども防止する。【選択図】  図４
2008133969.tif 000002
【特許請求の範囲】
【請求項１】
電気機器の外郭の一部を構成する前面パネルに運転表示部が設けられ、該運転表示部は、発光ユニットと、図形や文字を表面に印刷して運転状態を表示する表示パネルとを備え、表示パネルおよび発光ユニットが前面パネルに取り付けられたことを特徴とする表示装置。
【請求項２】
前記前面パネルの表側に表示パネルが取り付けられ、前面パネルの裏側に発光ユニットが取り付けられたことを特徴とする請求項１に記載の表示装置。
【請求項３】
発光ユニットが、ＬＥＤ付きのプリント基板を内装保持する固定箱と、前記固定箱に係合固定されＬＥＤからの光を前面に導くＬＥＤガイドとを備え、前記固定箱が、前面パネルの表示窓の周囲に係合固定されたことを特徴とする請求項１に記載の表示装置。
【請求項４】
発光ユニットの背面側から引き出された配線が、機器本体内の電装ボックスから表出する配線コネクタに接続されたことを特徴とする請求項１に記載の表示装置。
【請求項５】
発光ユニットの背面側に配線コネクタが設けられ、該配線コネクタと電装ボックスから表出する配線コネクタとが配線接続されたことを特徴とする請求項１に記載の表示装置。
【請求項６】
請求項１〜５のいずれかに記載の表示装置を搭載した電気機器。
【請求項７】
請求項１〜５のいずれかに記載の表示装置を搭載した室内ユニットを備えたことを特徴とする空気調和機。
【発明の詳細な説明】
【技術分野】
【０００１】
本発明は、空気調和機の室内ユニット等、電気機器における運転表示部の取付構造の改良に関するものである。
【背景技術】
【０００２】
空気調和機の室内ユニットとして、特許文献１には、ケーシングのフロントパネルに表示パネルが設けられ、ケーシング内部の電装品箱に保持された発光ユニットが表示パネルに対面して設けられている。そして、発光ユニットのＬＥＤカバーがバネ構造により表示パネルに押し付けられた構造となっている。
【特許文献１】特開２００６−１３２８４３号公報
【発明の開示】
【発明が解決しようとする課題】
【０００３】
しかしながら、特許文献１に開示される空気調和機では、発光ユニットと、運転状態を図形や文字を表面に印刷して表された表示パネルとが別体によって構成されているため、ＬＥＤが表示パネルの表示部とズレを起こしたり、光がもれるおそれがあった。
【０００４】
本発明は、上記に鑑み、発光ユニットと表示パネルとを正確に対面することができる表示装置およびこれを備えた空気調和機等の電気機器の提供を目的としている。
【課題を解決するための手段】
【０００５】
上記目的を達成するため、本発明に係る表示装置は、電気機器の外郭の一部を構成する前面パネルに運転表示部が設けられ、該運転表示部は、発光ユニットと、図形や文字を表面に印刷して運転状態を表示する表示パネルとを備え、表示パネルおよび発光ユニットが前面パネルに取り付けられたことを特徴とする。
【０００６】
上記構成によると、表示パネルおよび発光ユニットが、共に前面パネル側に取り付けられているので、表示パネルと発光ユニットとがずれるのを回避することができ、また、光漏れなども防止することができる。
【０００７】
具体的には、前面パネルの表側に表示パネルを、前面パネルの裏側に発光ユニットを取り付ける。前面パネルを貫通する表示窓を挟んで表示パネルおよび発光ユニットとが同一部材の前面パネルに取り付けられるので、位置ズレのおそれがなく、表示部と発光部とを正確に対面させることができる。
【０００８】
発光ユニットは、ＬＥＤ付きのプリント基板を内装保持する固定箱と、前記固定箱に係合固定されＬＥＤからの光を前面に導くＬＥＤガイドとを備え、前記固定箱が、前面パネルの表示窓の周囲に係合固定される。
【０００９】
上記構成によると、例えば、固定箱に係合爪を形成し、前面パネルに係合穴を形成し、係合爪を係合穴に係合固定するだけで、発光ユニットを前面パネルに固定することができ、合わせて表示パネルと対面させることができる。
【００１０】
また、発光ユニットの背面側から引き出された配線が、機器本体内の電装ボックスから表出する配線コネクタに接続される。これにより、配線も容易に行うことができる。
【００１１】
また、発光ユニットの背面側に配線コネクタを設け、該配線コネクタと電装ボックスから表出する配線コネクタとを配線接続してもよい。発光ユニットの背面に配線コネクタが設けられるので、配線のみを準備して、これを発光ユニット側のコネクタと電装ボックス側のコネクタとに接続することにより、前面側に発光ユニットを取り付けたにも関わらず、接続作業が簡単に行える。
【００１２】
上記のような表示装置は空気調和機の室内ユニットに搭載できるばかりか、他の電気機器の表示装置としても利用することができる。
【発明の効果】
【００１３】
以上のように、本発明によると、表示パネルおよび発光ユニットが、共に前面パネル側に取り付けられているので、表示パネルと発光ユニットとの位置ズレを回避することができ、また、光漏れなども防止することができる。
【発明を実施するための最良の形態】
【００１４】
図１は本実施形態のセパレート型空気調和機の室内ユニットの概観斜視図、図２は同じく前面パネルの斜視図である。図３は室内ユニットの断面図で、同図（ａ）は運転停止時における断面図、同図（ｂ）はカバーパネルの開放した状態を示す断面図、同図（ｃ）は導風パネルの開放状態を示す断面図である。
【００１５】
室内ユニット１は、ケーシング２の上面に空気の吸込口３が形成され、ケーシング２の前面下部に空気の吹出口４が形成される。ケーシング２の内部には、吸込口３から吹出口４に至る内部空気通路が形成され、この内部空気通路に熱交換器５と室内ファン６とが配設される。
【００１６】
ケーシング２は、後ろ側のキャビネット２ａと、前側の前面パネル２ｂとから箱状に形成される。キャビネット２ａは、室内の壁面に取り付けられる板状部材であって、前側には熱交換器５や室内ファン６等の室内ユニット１を構成する主要部材が取り付けられる。また、キャビネット２ａには、熱交換器５からの露受け皿となる前後のドレンパンが設置され、その間に内部空気通路が形成される。
【００１７】
前面パネル２ｂは、背面側が開放した箱状の部材であって、前面下部に左右幅方向に長い吹出口４が形成され、また、上面に同じく左右幅方向に長い吸込口３が形成される。
【００１８】
吹出口４には縦ルーバと横ルーバとからなる風向変更装置３６が配設される。また、吹出口４には、運転停止時に吹出口４を覆い、運転時に吹出口４から吹出す風を遠方まで届くように導く導風パネル７が設けられる。
【００１９】
前面パネル２ｂは、図２に示すように、吹出口４の上側にフィルタ２１を着脱自在に挿入するフィルタ挿入口３３が形成される。フィルタ挿入口３３のさらに上側には、表示装置を構成する運転表示部４０と、リモコンの第１の受信部４１とが並んで配設される。
【００２０】
運転表示部４０および第１の受信部４１の配置は、導風パネル７の覆い姿勢で、導風パネル７の上端よりも上側に位置する。また、前面パネル２ｂの下面で、吹出口４および導風パネル７から外れた位置に、第１の受信部４１とは別に第２の受信部４２が配設される。
【００２１】
運転表示部４０では、ＬＥＤにより、除菌イオンの運転状況や室内の空気の汚れ具合を表示する。また、設定温度や室外の温度を表示する。第１受信部４１および第２の受信部４２では、リモコンからの赤外線信号を受信する。
【００２２】
運転表示部４０の構成をさらに詳述する。図４は前面パネルの側面断面図、図５は電装ボックスの斜視図、図６は電装ボックスの正面図である。
【００２３】
図４〜図６に示すように、運転表示部４０は、発光ユニット４３と、運転状態を図形や文字を表面に印刷して表された表示パネル４４とを備えている。表示パネル４４は、図２に示すように、前面パネル２ｂの表示窓４５の表面側から前面パネル２ｂに取付られる。発光ユニット４３は、前面パネル２ｂの裏側から前面パネル２ｂに係合固定される。
【００２４】
発光ユニット４３は、ＬＥＤ４６付きのプリント基板４６ａを内装保持する固定箱４７と、ＬＥＤ４６からの光を前面に導くＬＥＤガイド４８とを備える。ＬＥＤガイド４８は、固定箱４７に係合固定され、固定箱４７は、前面パネル２ｂの表示窓４５の周囲に周知構造の係合手段（例えば、係合爪と係合穴との組合せ）により係合固定される。
【００２５】
固定箱４７の裏面には、配線コネクタ５１が配設される。この発光ユニット４３側のコネクタ５１と電装ボックス５２のコネクタ５３とが配線により接続される。電装ボックス５２は、図２に示すように、前面パネル２ｂの端部に形成されたボックス収納室に収納され、キャビネット２ａの前面側に固定される。電装ボックス５２では、ボックス本体５２ａを覆う蓋を取り外さなくても配線接続できるように、ボックス本体の表面にコネクタ５３が表出されている。
【００２６】
そのため、発光ユニット４３のコネクタと電装ボックス５２のコネクタとの配線は、図２に示すように、前面パネル２ｂの端部に形成された配線作業窓５４から簡単に行うことができる。
【００２７】
表示パネル４４は、前面パネル２ｂの表示窓４５を覆うよう前面パネル２ｂに係脱自在に係合する化粧パネル５６と一体的に形成してもよい。
【００２８】
また、第１の受信部４１も運転表示部４０と同様に、前面パネル側に受信部４１が取り付けられ、第１の受信部４１と電装ボックス５２とが配線接続される。
【００２９】
また、ケーシング２の内部空気通路は、ケーシング上面の吸込口３から吸込んだ室内の空気をフィルタを通した後、熱交換器５で熱交換し、冷風又は温風として室内ファン６によって吹出口４から室内側に放出されるものである。この内部空気通路において、吹出口近傍で正負のイオンを放出し、この正負の除菌イオンを吹出される空気と共に室内に放出されるように、イオン発生装置（図示略）を吹出口４の近傍に設けることができる。
【００３０】
室内ファン６は、クロスフローファンであって、その回転軸の軸方向が左右方向とされる。室内ファン６は、内部空気通路において熱交換器５よりも吹出口４側に配置される。
【００３１】
熱交換器５は、４つの熱交換器５ａ〜５ｄから構成され、これらのうち３つの熱交換器５ａ、５ｂ、５ｃが前後および上側の三方から室内ファン６を囲むように逆Ｖ字形に配置される。後側に位置する熱交換器５ｃの背面側には、さらに一つの補助熱交換器５ｄが後ろ側熱交換器５ｃと平行に配置される。各熱交換器５は、熱媒管と多数のフィンとから直方体形状に形成され、熱媒管の端部同士で他の熱交換器と接続され、冷凍サイクルの一部を構成するようになっている。
【００３２】
また、例えば、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００３３】
吸込口３に対面して吸込んだ室内の空気から塵埃を除去するフィルタ２１が設けられる。フィルタ２１は、極細繊維がネット状に編成又は織成され、吸込口３に対面して配置することにより、吸引した空気から塵や埃を除去できるようになっている。
【００３４】
このフィルタ２１を清掃する清掃装置２２が設けられる。フィルタ清掃装置２２は、ケーシング２の上面前側と前面上側と前側の熱交換器５ａ、５ｂとで囲まれた空間部に配置される。フィルタ清掃装置２２は、ケーシング２内でフィルタ２１を移動させる側面視でＵ字形に湾曲した移動案内路２４と、該移動案内路２４に面してフィルタに付着した塵埃を吸引除去する塵埃除去ボックス２５と、フィルタ２１を移動案内路２４に沿って移動させる駆動手段２６とを備えている。
【００３５】
このフィルタ清掃装置２２では、モータ及びギヤ機構からなる駆動手段２６を駆動してフィルタを移動案内路２４に沿って移動させつつ、塵埃除去ボックス２５の端部から吸引ファン（不図示）によって、フィルタ２１と略平行方向（左右方向）に空気を流すことで、フィルタ２１に付着した塵埃を除去する。この際、塵埃除去ボックス内に回転ブラシを設け、フィルタ２１に付着した塵埃を掻き取るようにする。
【００３６】
また、導風パネル７は、第１の回動軸１０周りに回動により、吹出口４から斜め上方向に配置されて吹出口４から吹出す空気を斜め上方向に導く導風姿勢と、ケーシング２の前面に沿って配置され、吹出口４を含むケーシングの前面の少なくとも下半分を覆う覆い姿勢とに切換え自在とされる。
【００３７】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。
【００３８】
そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主に暖房運転時や局所的に冷風を吹出させたい急速冷房運転時に、吹出口４から吹出した風を垂直下方に導くときに採用される。
【００３９】
上記構成においては、運転停止時には、導風パネル７が吹出口４を覆う覆い姿勢となっている。この状態で、導風パネル７よりも上方に運転表示部４０があるため、室内空気の汚れ具合の表示や温度表示を容易に視認することができ、その視認結果に基づき空気調和機の運転制御を行いやすくなる。
【００４０】
また、冷房運転時に導風パネル７を第１の回動軸１０周りに回動して導風姿勢にすると、吹出口４から吹出した空気は、斜め上方向に導かれ、室内ユニット１を天井近くの壁面に据え付けた場合、吹出口４から吹出した冷風は天井面に沿って室内全体に行き渡り、室内全体を冷房することができる。
【００４１】
このとき、運転表示部４０は、ケーシング２の前面上部に位置し、吹出口４の近傍から離れた場所に設置されているので、吹出口４から吹出す冷風により運転表示部４０が結露するのを防止することができる。
【００４２】
一方、暖房運転時などに、カバーパネル８を第２の回動軸１１周りに開回動すると、カバーパネル８が垂直方向に向き、吹出口４から吹出した風が下方に導かれる。
【００４３】
また、運転表示部４０は、運転状態や図形や文字を表面に印刷して表している表示パネル４４および発光ユニット４３を共に前面パネル２ｂ側に取り付けているので、両者間にズレを生じることがなく、光漏れや誤表示を防止することができる。
【００４４】
運転表示部４０の組み立ては、表示窓４５に表示パネル４４を取付け、また、発光ユニット４３を前面パネル２ｂの裏面側から表示窓４５に周囲に周知の係合固定手段を用いて係合固定する。このとき、予め、発光ユニット４３の裏面のコネクタに配線を接続しておく。
【００４５】
次に、前面パネル２ｂをキャビネット２ａ側に嵌合し、前面パネル２ｂの作業窓から配線の他端コネクタを電装ボックス５２のコネクタに接続する。同様に、第１の受信部４１および第２の受信部４２の配線コネクタも電装ボックス５２のコネクタに接続して配線を完了する。
【００４６】
なお、本発明は、上記実施形態に限定されるものではなく、本発明の範囲内で多くの修正・変更を加えることができるのは勿論である。例えば、上記実施形態では、表示装置を空気調和機の室内ユニットに搭載したが、本発明は、空気清浄機や除湿機、加湿機などの空気調節装置やその他の電気機器にも適用することができる。
【図面の簡単な説明】
【００４７】
【図１】図１は本実施形態のセパレート型空気調和機の室内ユニットの概観斜視図
【図２】前面パネルの斜視図
【図３】（ａ）は運転停止時における室内ユニットの断面図、同図（ｂ）はカバーパネルの開放した状態を示す室内ユニットの断面図、同図（ｃ）は導風パネルの開放状態を示す室内ユニットの断面図
【図４】（ａ）は前面パネルの側面断面図、（ｂ）はその要部拡大図
【図５】電装ボックスの斜視図
【図６】電装ボックスの正面図
【符号の説明】
【００４８】
１      室内ユニット
２      ケーシング
３      吸込口
４      吹出口
５      熱交換器
６      室内ファン
７      導風パネル
８      カバーパネル
９      延長パネル
１０    第１回動軸
１１    第２回動軸
２１    フィルタ
２２    フィルタ清掃装置
２４    移動案内路
２５    塵埃除去ボックス
２６    駆動手段
３３    フィルタ挿入口
４０    運転表示部
４１    第１の受信部
４２    第２の受信部
４３    発光ユニット
４４    表示パネル
４５    表示窓
４７    固定箱
４８    発光ガイド
【図１】
2008133969.tif 000003
【図２】
2008133969.tif 000004
【図３】
2008133969.tif 000005
【図４】
2008133969.tif 000006
【図５】
2008133969.tif 000007
【図６】
2008133969.tif 000008